(57)【要約】【課題】  折り畳みが可能で不使用時に嵩張らず携帯しやすいものでありながら、構造が簡素で故障しにくく、安全性に優れた就寝用頭部カバーを提供する。【解決手段】  就寝用頭部カバーを、就寝者の頭部を囲うためのカバー部材１０と、カバー部材１０を展張した状態に保つためのフレーム部材２０とを備えたものとするとともに、フレーム部材２０を、複数本のワイヤーリング２１ａ，２１ｂ，２１ｃ，２１ｄを筒状に連結した構造とすることにより、フレーム部材２０を、ワイヤーリング２１ａ，２１ｂ，２１ｃ，２１ｄの連結部分で変形させて折り畳むことができるようにした。【選択図】  図２
2018117950.tif 000002
【特許請求の範囲】
【請求項１】
就寝者の頭部を囲うためのカバー部材と、
カバー部材を展張した状態に保つためのフレーム部材と
を備え、
フレーム部材が、複数本のワイヤーリングを筒状に連結した構造とされることにより、
フレーム部材を、ワイヤーリングの連結部分で変形させて折り畳むことができるようにした
ことを特徴とする就寝用頭部カバー。
【請求項２】
カバー部材が、
就寝者の頭部下方に敷かれた状態に配される底面部と、
就寝者の顔部上方を覆った状態に配される上面部と、
就寝者の頭頂部奥側を覆った状態に配される背面部と、
就寝者の頭部左方を覆った状態に配される左側面部と、
就寝者の頭部右方を覆った状態に配される右側面部と
で構成されて、
前記背面部に対向する正面部が開放されて、当該正面部がカバー部材内に頭部を挿入するための頭部挿入口となる構造され、
フレーム部材が、
前記底面部の周縁に沿った箇所を支持する下側ワイヤーリングと、
前記上面部の周縁に沿った箇所を支持する上側ワイヤーリングと、
前記背面部の周縁に沿った箇所を支持する奥側ワイヤーリングと、
前記正面部の周縁に沿った箇所を支持する手前側ワイヤーリングと
で構成された
請求項１記載の就寝用頭部カバー。
【請求項３】
カバー部材の上面部、左側面部及び／又は左側面部の手前側縁に、就寝者の少なくとも胸上まで覆う幕部が設けられた請求項２記載の就寝用頭部カバー。
【発明の詳細な説明】
【技術分野】
【０００１】
本発明は、就寝者の頭部を保湿又は保温等するための就寝用頭部カバーに関する。
【背景技術】
【０００２】
冬期においては、睡眠時に顔の皮膚が乾燥しやすく、肌がダメージを受けやすい。また、身体が冷えやすいだけでなく、乾燥した空気で鼻や喉を傷める虞もあり、風邪等をひく虞もある。このため、乾燥しやすい冬期においては、加湿器等で部屋の湿度を十分に保った状態で就寝することが好ましい。しかし、加湿器は、高価であることに加えて、据え置き型のものが多く、必ずしも、手軽に利用できるものではない。また、加湿器を就寝時に使用すると、そのモーター音等によって快適な睡眠が妨げられる虞もある。
【０００３】
このような実状に鑑みてか、これまでには、就寝者の頭部を保湿又は保温等するための就寝用頭部カバーが提案されている。例えば、特許文献１には、同文献の図１〜３に示されるように、本体頭部板５に固定したパイプ１に、ベール部６を垂れ下げた状態で取り付けたナイトベールが提案されている。また、特許文献２には、同文献の図１，２に示されるように、開閉機構１４によって開閉される複数本の支持脚１２に対してキルト等２２等の布状部材を取り付けた頭部保温機具が提案されている。
【先行技術文献】
【特許文献】
【０００４】
【特許文献１】実用新案登録第３１２６７０９号公報
【特許文献２】実用新案登録第２５９３９２３号公報
【発明の概要】
【発明が解決しようとする課題】
【０００５】
ところが、上記の特許文献１のナイトベールは、本体頭部板５やパイプ１等、剛性を有する硬い部材を就寝者の頭部に配置するものとなっており、就寝者が寝返り等すると、頭部を本体頭部板５やパイプ１等に打ちつける虞がある等、安全性に疑問を有するものとなっている。また、特許文献１のナイトベールは、ある程度重量を有するものであると考えられることに加えて、同文献の図１に示される状態よりはコンパクトにならないため、不使用時に嵩張るだけでなく、旅行先等に手軽に携帯できるものとはなっていない。
【０００６】
この点、上記の特許文献２の頭部保温機具は、同文献の図１に示される状態から図２に示される状態へと折り畳みできるものとなっており、携帯しやすいものとなっている。しかし、特許文献２の頭部保温機具は、開閉機構１４を有するものとなっており、製造コストがかかるものとなっている。また、特許文献２の頭部保温機具は、開閉機構１４が故障したり、使用者が開閉機構１４の操作を誤ったりすると、就寝時に開閉機構１４が閉じてしまう等、誤動作する虞もある。さらに、特許文献２の頭部保温器具は、就寝者が寝返り等すると、就寝者の頭部につられてそれ自体も動く虞がある。就寝時に頭部保温機具が動くと、所望の保温機能が発揮できなくなるだけでなく、場合によっては、支持脚１２の先端が就寝者の顔面を突く等、危険な場合もある。
【０００７】
本発明は、上記課題を解決するために為されたものであり、折り畳みが可能で不使用時に嵩張らず携帯しやすいものでありながら、構造が簡素で故障しにくく、安全性に優れた就寝用頭部カバーを提供することを目的とする。
【課題を解決するための手段】
【０００８】
上記課題は、就寝者の頭部を囲うためのカバー部材と、カバー部材を展張した状態に保つためのフレーム部材とを備え、フレーム部材が、複数本のワイヤーリング（弾性を有するワイヤーをリング状に形成したもの。以下同じ。）を筒状に連結した構造とされることにより、フレーム部材を、ワイヤーリングの連結部分で変形させて折り畳むことができるようにしたことを特徴とする就寝用頭部カバーを提供することによって解決される。
【０００９】
本発明の就寝用頭部カバーは、カバー部材を展張するフレーム部材を、複数本のワイヤーリングを筒状に連結することによって形成している。このため、コイルスプリングやフック等の機械的な部品を用いない簡素な構造でありながら、カバー部材を折り畳むことが可能となっている。加えて、本発明の就寝用頭部カバーは、製造コストを抑えるだけでなく、故障や誤動作等の不具合の発生が生じにくいものとなっている。また、本発明の就寝用頭部カバーは、板状部材やパイプ等の硬い部材を用いないものであることに加えて、尖った部材も用いないものであるため、使用者を傷つける虞もない等、安全性に優れたものとなっている。
【００１０】
本発明の就寝用頭部カバーにおいて、筒状に連結するワイヤーリングの本数等は、特に限定されない。フレーム部材は、３本のワイヤーリングを三角筒状に連結することによって形成してもよいし、５本以上のワイヤーリングを五角筒状以上の多面筒状に連結することによって形成してもよい。しかし、前者の場合（３本のワイヤーリングを三角筒状に連結する場合）には、それぞれのワイヤーリングをある程度大きな寸法にしなければ、就寝用頭部カバーにおける内部空間（頭部収容空間）に頭部を収容しにくくなる虞がある。一方、後者の場合（５本以上のワイヤーリングを五角筒状以上の多面筒状に連結する場合）には、使用するワイヤーリングの本数が多くなって、製造コストを抑えにくくなるだけでなく、フレーム部材の折り畳み操作が煩わしくなる虞もある。
【００１１】
このため、本発明の就寝用頭部カバーにおいては、４本のワイヤーリングを四角筒状に連結することによって、フレーム部材を形成することが好ましい。具体的には、カバー部材を、就寝者の頭部下方に敷かれた状態（ここでは、就寝者が仰向けに寝ている状態を基準としている。特に断りのない限り、以下においても同じ。）に配される底面部と、就寝者の顔部上方を覆った状態に配される上面部と、就寝者の頭頂部奥側を覆った状態に配される背面部と、就寝者の頭部左方を覆った状態に配される左側面部と、就寝者の頭部右方を覆った状態に配される右側面部とで構成して、前記背面部に対向する正面部を開放して、当該正面部がカバー部材内に頭部を挿入するための頭部挿入口となる構造とし、フレーム部材を、前記底面部の周縁に沿った箇所を支持する下側ワイヤーリングと、前記上面部の周縁に沿った箇所を支持する上側ワイヤーリングと、前記背面部の周縁に沿った箇所を支持する奥側ワイヤーリングと、前記正面部の周縁に沿った箇所を支持する手前側ワイヤーリングとで構成することが好ましい。
【００１２】
このように、４本のワイヤーリングを四角筒状に連結してフレーム部材を構成することによって、それぞれのワイヤーリングの寸法を抑えながらも、就寝用頭部カバーにおける内部空間（頭部収容空間）を十分に確保することが可能になる。また、使用するワイヤーリングの本数を４本に抑えて、製造コストを抑えるだけでなく、後述するように、フレーム部材の折り畳み操作を容易に行うことも可能になる。
【００１３】
本発明の就寝用頭部カバーにおいては、就寝者の頭部周辺のみがカバー部材のみで覆われるようにしてもよい。しかし、この場合には、就寝者の呼吸等によって温まって湿ったカバー部材内の空気が、就寝用頭部カバーにおける頭部挿入口から逃げるだけでなく、就寝者が首元や胸上に寒さを感じる虞もある。このため、本発明の就寝用頭部カバーにおいては、カバー部材の上面部、左側面部及び／又は左側面部の手前側縁に、就寝者の少なくとも胸上まで覆う幕部を設けることが好ましい。これにより、頭部挿入口を塞ぐだけでなく、就寝者の頭部から胸上までを温かく保つことも可能になる。
【発明の効果】
【００１４】
以上のように、本発明によって、折り畳みが可能で不使用時に嵩張らず携帯しやすいものでありながら、構造が簡素で故障しにくく、安全性に優れた就寝用頭部カバーを提供することが可能になる。
【図面の簡単な説明】
【００１５】
【図１】本発明に係る就寝用頭部カバーを使用して就寝している状態を示した断面図である。
【図２】本発明に係る就寝用頭部カバーをカバー部材とフレーム部材とに分離した状態を示した斜視図である。
【図３】図２の就寝用頭部カバーにおけるフレーム部材を抜き出して描いた斜視図である。
【図４】図２の就寝用頭部カバーにおけるフレーム部材の折り畳み方法を説明する図である。
【発明を実施するための形態】
【００１６】
本発明の就寝用頭部カバーの好適な実施態様について、図面を用いてより具体的に説明する。以下で説明する図１〜４においては、ｘｙｚ座標軸を示している。以下においては、説明の便宜上、同ｘｙｚ座標軸におけるｘ軸方向正側を「左」側とし、ｘ軸方向負側を「右」側とし、ｙ軸方向正側を「奥」側とし、ｙ軸方向負側を「手前」側とし、ｚ軸方向正側を「上」側とし、ｚ軸方向負側を「下」側として説明する。
【００１７】
図１は、本発明に係る就寝用頭部カバーを使用して就寝している状態を示した断面図である。図２は、本発明に係る就寝用頭部カバーをカバー部材１０とフレーム部材２０とに分離した状態を示した斜視図である。図３は、図２の就寝用頭部カバーにおけるフレーム部材２０を抜き出して描いた斜視図である。図４は、図２の就寝用頭部カバーにおけるフレーム部材２０の折り畳み方法を模式的に説明する図であり、図４（ａ）は、フレーム部材２０が展張状態にあるときを、図４（ｂ）は、フレーム部材２０を１回折り畳んだ状態を、図４（ｃ）は、フレーム部材２０を２回折り畳んだ状態を示している。図４（ａ）〜（ｃ）の上段は、フレーム部材２０を断面（ｘ軸に垂直な断面）で示しており、図４（ａ）〜（ｃ）の下段は、フレーム部材２０を斜めから見た状態で示している。また、図４の上段では、ワイヤーリング保持部材３０（図２）におけるワイヤーリング挿通部３１を示しているが、図４の下段では、ワイヤーリング挿通部３１を省略している。
【００１８】
０．就寝用頭部カバーの概要
本発明に係る就寝用頭部カバーは、図１に示すように、使用者（就寝者１００）の頭部を囲った状態に保つためのものとなっている。このため、例えば、気温が低く空気が乾燥しがちな冬期において、本発明に係る就寝用頭部カバーを用いて就寝すると、就寝用頭部カバーの内部空間Ｓは、就寝者１００の呼吸により、温度及び湿度が高い状態に保たれるようになる。このため、睡眠時における顔の皮膚の乾燥を防ぐだけでなく、風邪等の予防を行うことも可能になる。また、暖房等を使用せずとも、温かく快適な睡眠を促進することもできるようになる。ただし、以下で述べるように、本発明に係る就寝用頭部カバーは、後述するカバー部材１０の素材等を切り替えることによって、冬期だけでなく、夏期等、冬期以外の季節においても使用することができるものとなっている。
【００１９】
本発明に係る就寝用頭部カバーは、図２及び図３に示すように、就寝者の頭部を囲うためのカバー部材１０と、カバー部材１０を展張した状態に保つためのフレーム部材２０とを備えたものとなっている。カバー部材１０は、フレーム部材２０に対して取り外すことができない状態で固定したものであってもよいが、本実施態様の就寝用頭部カバーにおいては、フレーム部材２０から取り外すことができるものとなっている。このため、カバー部材１０を洗濯機等で洗濯し、カバー部材１０を清潔な状態に保つことができるようになっている。また、例えば、冬期においては、カバー部材１０として保温性や保湿性に優れた生地で形成されたものを用い、夏期においては、カバー部材１０として通気性に優れながらも蚊等の虫の侵入を防ぐことができる生地で形成されたものを用いる等、使用時期や用途等に応じてカバー部材１０の種類を切り替えることもできるようになっている。
【００２０】
フレーム部材２０は、図３に示すように、複数本のワイヤーリング２１を筒状に連結して構成されており、図４に示すように、隣り合うワイヤーリング２１の連結部分βで変形させて折り畳むことができるものとなっているところ、本実施態様の就寝用頭部カバーにおいては、図２に示すように、これら複数本のワイヤーリング２１をワイヤーリング保持部材３０における鞘状のワイヤーリング挿通部３１に挿通することにより、ワイヤーリング保持部材３０を介して筒状に連結された構造となっている。ワイヤーリング２１が保持されたワイヤーリング保持部材３０を、カバー部材１０におけるカバー本体１０の内部に挿入することにより、本実施態様の就寝用頭部カバーは使用可能な状態となる。
【００２１】
以下、本実施態様の就寝用頭部カバーを構成する各部についてより詳しく説明する。
【００２２】
１．カバー部材
本実施態様の就寝用頭部カバーにおいて、カバー部材１０は、図２に示すように、カバー本体１１と幕部１２とで構成されている。
【００２３】
１．１  カバー本体
カバー本体１１は、使用者の頭部を囲うためのものとなっている。カバー本体１１は、使用者の頭部を囲うことができるのであれば、その具体的な形態を限定されないが、本実施態様の就寝用頭部カバーにおいては、底面部１１ａ（図２の面Ｐ１Ｐ２Ｐ８Ｐ７を形成する部分）と上面部１１ｂ（図２の面Ｐ６Ｐ５Ｐ１１Ｐ１２を形成する部分）と背面部１１ｃ（図２の面Ｐ１Ｐ６Ｐ１２Ｐ７を形成する部分）と左側面部１１ｄ（図２の面Ｐ１Ｐ２Ｐ５Ｐ６を形成する部分）と右側面部１１ｅ（図２の面Ｐ７Ｐ８Ｐ１１Ｐ１２を形成する部分）とを有しており、使用時（展張時）において直方体状を為すものとなっている。
【００２４】
図１に示すように、底面部１１ａは、就寝者１００の頭部下方に敷かれた状態に配される部分となっており、上面部１１ｂは、就寝者１００の顔部上方を覆った状態に配される部分となっており、背面部１１ｃは、就寝者１００の頭頂部奥側を覆った状態に配される部分となっている。また、左側面部１１ｄ（図２）は、就寝者の頭部左方を覆った状態に配される部分となっており、右側面部１１ｄ（図２）は、就寝者の頭部右方を覆った状態に配される部分となっている。カバー本体１１における、背面部１１ｃに対向する正面部（図２の面Ｐ２Ｐ５Ｐ１１Ｐ８）は、開放された状態となっており、カバー本体１１内に頭部を挿入するための部分（頭部挿入口α）となっている。
【００２５】
ところで、底面部１１ａの下側には、通常、敷布団や床等が位置するため、就寝者の頭部を囲うことのみを考慮すれば、カバー本体１１には、底面部１１ａを設ける必要がない。しかし、本実施態様の就寝用頭部カバーのように、底面部１１ａを設けることで、図１に示すように、就寝者１００の頭部の重みを底面部１１ａで受けることができるようになり、就寝者１００等が寝返り等しても、就寝用頭部カバーが動かないように、使用時における就寝用頭部カバーの安定性を高めることが可能になる。
【００２６】
カバー本体１１の寸法は、就寝者の頭部を収容することができるのであれば、特に限定されない。しかし、カバー本体１１の寸法が小さすぎると、就寝用頭部カバーの内部空間が狭くなり、就寝者が圧迫感を感じたり、息苦しさを感じたりする虞がある。また、就寝用頭部カバーは、図１に示すように、その内部空間Ｓに枕２００を収容した状態で使用する場面も想定されるところ、就寝用頭部カバーの内部空間Ｓに枕２００を収容できなくなる虞もある。このため、カバー本体１１の横幅Ｗ１（図２）は、４５ｃｍ以上とすることが好ましく、５０ｃｍ以上とすることがより好ましく、５５ｃｍ以上とすることがさらに好ましい。また、カバー本体１１の高さＨ１（図２）及び前後長Ｌ１（図２）はいずれも、２５ｃｍ以上とすることが好ましく、３０ｃｍ以上とすることがより好ましく、３５ｃｍ以上とすることがさらに好ましい。
【００２７】
一方、カバー本体１１の寸法が大きすぎると、就寝用頭部カバーの内部空間Ｓが広くなりすぎてしまい、就寝用頭部カバーを冬期に使用する場合等において、所望の保温効果や保湿効果が奏されにくくなる。また、カバー本体１１の寸法を大きくすると、必然的に、フレーム部材２０の寸法も大きくする必要が生じるため、フレーム部材２０がコンパクトに折り畳みにくいものとなる。このため、カバー本体１１の横幅Ｗ１（図２）は、８０ｃｍ以下とすることが好ましく、７０ｃｍ以下とすることがより好ましい。また、カバー本体１１の高さＨ１（図２）及び前後長Ｌ１（図２）はいずれも、６０ｃｍ以下とすることが好ましく、５０ｃｍ以下とすることがより好ましい。本実施態様の就寝用頭部カバーにおいて、カバー本体１１の横幅Ｗ１は、５７ｃｍ強となっており、カバー本体１１の高さＨ１及び前後長Ｌ１はいずれも、３５ｃｍ強となっている。
【００２８】
カバー本体１１の素材は、就寝用頭部カバーの用途等に応じて、所望の効果を奏することができるのであれば、特に限定されない。カバー部材１０は、就寝者が酸欠状態にならない程度の通気性を確保できるのであれば、樹脂フィルム等で形成することもできるが、通常、編生地や織生地等、通気性を有する生地で形成される。コストや洗濯のしやすさ等を考慮するのであれば、綿素材や麻素材のほか、ポリエステル等の化繊素材からなる生地を好適に用いることができるが、高級感を重視するのであれば、シルク素材等からなる生地でカバー本体１１を形成することもできる。シルク素材からなる生地は、目が小さく、就寝用頭部カバーの保温性や保湿性を高めやすいという利点も有している。また、細菌の侵入を防ぐことを考慮するのであれば、ガーゼ等、マスクで使用されている生地でカバー本体１１を形成することもできる。カバー本体１１には、抗菌処理等を施すこともできる。さらに、保温性や保湿性は考慮せず、通気性や虫の侵入を防ぐことを考慮する場合（夏期に使用する場合）には、メッシュ生地でカバー本体１１を形成することもできる。
【００２９】
１．２  幕部
幕部１２は、図１に示すように、就寝者１００の首付近から胸下に亘る部分を覆うとともに、就寝用頭部カバーの内部空間における温かく湿った空気が頭部挿入口αから逃げないように、カバー本体１１の頭部挿入口αを塞ぐためのものとなっている。本実施態様の就寝用頭部カバーにおいて、幕部１２は、図２に示すように、カバー本体１１における上面部１１ｂ、左側面部１１ｄ及び右側面部１１ｅの手前側縁（ｙ軸方向負側の縁部）に接続され、その部分から垂れ下がるように設けている（図２における幕部１２は、図示の便宜上、張った状態で描いている。）。これにより、就寝用頭部カバーの内部空間Ｓをより快適な状態に保つだけでなく、就寝者が頭部から胸上までの広い範囲を温かく保つことができるようになっている。
【００３０】
幕部１２の前後長Ｌ２（図２）は、特に限定されない。しかし、幕部１２の前後長Ｌ２が短すぎると、垂れ下がった状態の幕部１２の下側に隙間ができやすくなる虞がある。また、就寝直後には幕部１２の下側に隙間がなかったとしても、就寝者が寝返り等して幕部１２がめくれた際に隙間ができやすくなる虞もある。このため、幕部１２の前後長Ｌ２は、２５ｃｍ以上とすることが好ましく、３０ｃｍ以上とすることがより好ましく、３５ｃｍ以上とすることがさらに好ましい。幕部１２の前後長Ｌ２に特に上限はないが、就寝者は、通常、掛け布団を掛けた状態で寝ているため、幕部１２の前後長Ｌ２を長くしすぎても、あまり意味がないばかりか、就寝用頭部カバーの重量が嵩むようになる。このため、幕部１２の前後長Ｌ２は、６０ｃｍ以下とすることが好ましく、５０ｃｍ以下とすることがより好ましい。本実施態様の就寝用頭部カバーにおいて、幕部１２の前後長Ｌ２は、約３５ｃｍとなっている。
【００３１】
幕部１２は、カバー本体１１で述べたものと同様の素材で形成することができる。幕部１２は、カバー本体１１と別生地により形成し、カバー本体１１に対して事後的に縫着等することにより設けたものであってもよいし、カバー本体１１を形成する生地を延長して設けたものであってもよい。
【００３２】
２．フレーム部材
フレーム部材２０は、カバー部材１０におけるカバー本体１１を展張した状態に支持するためのものとなっている。このフレーム部材２０は、図３に示すように、複数本のワイヤーリング２１を連結部分βで連結して筒状にすることにより構成される。それぞれのワイヤーリング２１は、通常、樹脂線材や金属線材等の弾性線材を環状に形成したものが用いられる。このフレーム部材２０は、それぞれのワイヤーリング２１が自らの弾性により広がろうとする力を利用して、カバー本体１１（図２）を展張した状態に支持する一方、隣り合うワイヤーリング２１の連結部分で変形させることにより、図４に示すように、折り畳むことができるものとなっている。
【００３３】
ワイヤーリング２１の本数や寸法は、カバー部材１０のカバー本体１１の形状や寸法に応じて適宜決定される。既に述べたように、本実施態様の就寝用頭部カバーにおいては、カバー本体１１を、展張状態において直方体状となるように形成しているため、フレーム部材２０は、図３に示すように、略同寸法の４本のワイヤーリング２１（下側ワイヤーリング２１ａ、上側ワイヤーリング２１ｂ、奥側ワイヤーリング２１ｃ及び手前側ワイヤーリング２１ｄ）を連結部分βで四角筒状に連結し、ワイヤーリング２１を連結してなるフレーム部材２０が、展張状態において、カバー本体１１よりもやや小さな直方体状を為すようにしている。
【００３４】
具体的には、下側ワイヤーリング２１ａの区間２１ａ１（フレーム部材２０の展張時において奥側に位置する区間）と、奥側ワイヤーリング２１ｃの区間２１ｃ１（フレーム部材２０の展張時において下側に位置する区間）とを連結部分β１で連結し、下側ワイヤーリング２１ａの区間２１ａ２（フレーム部材２０の展張時において手前側に位置する区間）と、手前側ワイヤーリング２１ｄの区間２１ｄ１（フレーム部材２０の展張時において下側に位置する区間）とを連結部分β２で連結し、上側ワイヤーリング２１ｂの区間２１ｂ１（フレーム部材２０の展張時において奥側に位置する区間）と、奥側ワイヤーリング２１ｃの区間２１ｃ２（フレーム部材２０の展張時において上側に位置する区間）とを連結部分β３で連結し、上側ワイヤーリング２１ｂの区間２１ｂ２（フレーム部材２０の展張時において手前側に位置する区間）と、手間側ワイヤーリング２１ｄの区間２１ｄ２（フレーム部材２０の展張時において上側に位置する区間）とを連結部分β３で連結している。
【００３５】
このフレーム部材２０は、例えば、図４（ａ）に示すように、上側ワイヤーリング２１ｂと手前側ワイヤーリング２１ｄとの連結部分β４を矢印Ａの向きに押し込んで、図４（ｂ）に示す状態とした後、上側ワイヤーリング２１ｂ及び奥側ワイヤーリング２１ｃを矢印Ｂの向きに倒すことによって、図４（ｃ）に示すように、コンパクトな状態に折り畳むことが可能なものとなっている。ワイヤーリング２１を形成する弾性線材として、ある程度柔らかく形態記憶性を有するものを用いれば、図４（ｃ）に示す状態に折り畳まれたワイヤーリング２１をさらに「８」の字状に捩じり、その捩じったワイヤーリング２１を２つの円形部分（「８」の字の２つの円形部分）が重なるように折り曲げる等、さらに小さく折り畳むことも可能である。フレーム部材２０の折り畳みは、フレーム部材２０にカバー部材１０を被せたままの状態であっても行うことが可能である。
【００３６】
３．ワイヤーリング保持部材
ワイヤーリング保持部材３０は、複数本のワイヤーリング２１を保持して筒状に連結するためものとなっている。本実施態様の就寝用頭部カバーにおいて、ワイヤーリング保持部材３０は、図２に示すように、展張状態において直方体状を為すものとなっており、その底面部（ｚ軸方向負側を向く面）、上面部（ｚ軸方向正側を向く面）、背面部（ｙ軸方向正側を向く面）及び正面部（ｙ軸方向負側を向く面）のそれぞれの周縁に沿って、ワイヤーリング挿通部３１が設けられたものとなっている。これらのワイヤーリング挿通部３１は、鞘状に形成されており、その内部にワイヤーリング２１を挿通することができるようになっている。
【００３７】
本実施態様の就寝用頭部カバーにおいては、ワイヤーリング保持部材３０の底面部の周縁に沿って設けられたワイヤーリング挿通部３１ａには、下側ワイヤーリング２１ａが挿通され、ワイヤーリング保持部材３０の上面部の周縁に沿って設けられたワイヤーリング挿通部３１ｂには、上側ワイヤーリング２１ｂが挿通され、ワイヤーリング保持部材３０の背面部の周縁に沿って設けられたワイヤーリング挿通部３１ｃには、奥側ワイヤーリング２１ｃが挿通され、ワイヤーリング保持部材３０の正面部の周縁に沿って設けられたワイヤーリング挿通部３１ｄには、手前側ワイヤーリング２１ｃが挿通される。
【００３８】
底面部のワイヤーリング挿通部３１ａにおける、下側ワイヤーリング２１ａの区間２１ａ１（図３）を挿通する部分と、背面部のワイヤーリング挿通部３１ｃにおける、奥側ワイヤーリング２１ｃの区間２１ｃ１（図３）を挿通する部分は、互いに沿った状態又は１本の鞘状部分を共用する状態に設けられる。また、底面部のワイヤーリング挿通部３１ａにおける、下側ワイヤーリング２１ａの区間２１ａ２（図３）を挿通する部分と、正面部のワイヤーリング挿通部３１ｄにおける、手前側ワイヤーリング２１ｄの区間２１ｄ１（図３）を挿通する部分は、互いに沿った状態又は１本の鞘状部分を共用する状態に設けられる。さらに、上面部のワイヤーリング挿通部３１ｂにおける、上側ワイヤーリング２１ｂの区間２１ｂ１（図３）を挿通する部分と、背面部のワイヤーリング挿通部３１ｃにおける、奥側ワイヤーリング２１ｃの区間２１ｃ２（図３）を挿通する部分は、互いに沿った状態又は１本の鞘状部分を共用する状態に設けられる。さらにまた、上面部のワイヤーリング挿通部３１ｂにおける、上側ワイヤーリング２１ｂの区間２１ｂ２（図３）を挿通する部分と、正面部のワイヤーリング挿通部３１ｄにおける、手前側ワイヤーリング２１ｄの区間２１ｄ２（図３）を挿通する部分は、互いに沿った状態又は１本の鞘状部分を共用する状態に設けられる。これにより、４本のワイヤーリング２１は、図３に示す状態に四角筒状に連結される。
【００３９】
ワイヤーリング保持部材３０は、上記のワイヤーリング挿通部３１のみで構成したものであってもよいが、本実施態様の就寝用頭部カバーにおいては、図２に示すように、ワイヤーリング保持部材３０の底面部、上面部、背面部、左側面部及び右側面部を、伸縮性面材３２で塞いでいる。具体的には、環状を為す下側ワイヤーリング挿通部３１ａの内側領域を下側伸縮性面材３２ａで塞ぎ、環状を為す上側ワイヤーリング挿通部３１ｂの内側領域を上側伸縮性面材３２ｂで塞ぎ、環状を為す奥側ワイヤーリング挿通部３１ｃの内側領域を奥側伸縮性面材３２ｃで塞ぎ、ワイヤーリング保持部材３０の左側面部を形成する部分を左側伸縮性面材３２ｄで塞ぎ、ワイヤーリング保持部材３０の右側面部を形成する部分を右側伸縮性面材３２ｅで塞いでいる。ワイヤーリング保持部材３０における角部には、三角状のつなぎ生地（符号省略）を配している。ワイヤーリング保持部材３０の正面部は、頭部挿入口αとなる部分であるため、伸縮性面材３２を設けておらず、解放された状態としている。
【００４０】
この伸縮性面材３２は、フレーム部材２０を展張したときに、張った状態となる。これにより、展張したときのフレーム部材２０の形態安定性を高めるだけでなく、カバー部材１０のカバー本体１１における各面部が弛まないように、カバー本体１１の各面部を内側から支持することが可能となっている。伸縮性面材３２は、伸縮性を有する面材であれば、特に限定されないが、通常、メッシュ生地が用いられる。
【符号の説明】
【００４１】
１０      カバー部材
１１      カバー本体
１１ａ    底面部
１１ｂ    上面部
１１ｃ    背面部
１１ｄ    左側面部
１１ｅ    右側面部
１２      幕部
２０      フレーム部材
２１      ワイヤーリング
２１ａ    下側ワイヤーリング
２１ａ１  下側ワイヤーリングにおける、フレーム部材の展張時において奥側に位置する区間
２１ａ２  下側ワイヤーリングにおける、フレーム部材の展張時において手前側に位置する区間
２１ｂ    上側ワイヤーリング
２１ｂ１  上側ワイヤーリングにおける、フレーム部材の展張時において奥側に位置する区間
２１ｂ２  上側ワイヤーリングにおける、フレーム部材の展張時において手前側に位置する区間
２１ｃ    奥側ワイヤーリング
２１ｃ１  奥側ワイヤーリングにおける、フレーム部材の展張時において下側に位置する区間
２１ｃ２  奥側ワイヤーリングにおける、フレーム部材の展張時において上側に位置する区間
２１ｄ    手前側ワイヤーリング
２１ｄ１  手前側ワイヤーリングにおける、フレーム部材の展張時において下側に位置する区間
２１ｄ２  手前側ワイヤーリングにおける、フレーム部材の展張時において上側に位置する区間
３０      ワイヤーリング保持部材
３１      ワイヤーリング挿通部
３１ａ    ワイヤーリング保持部材の底面部の周縁に沿って設けられたワイヤーリング挿通部
３１ｂ    ワイヤーリング保持部材の上面部の周縁に沿って設けられたワイヤーリング挿通部
３１ｃ    ワイヤーリング保持部材の背面部の周縁に沿って設けられたワイヤーリング挿通部
３１ｄ    ワイヤーリング保持部材の正面部の周縁に沿って設けられたワイヤーリング挿通部
３２      伸縮性面材
３２ａ    下側伸縮性面材
３２ｂ    上側伸縮性面材
３２ｃ    奥側伸縮性面材
３２ｄ    左側伸縮性面材
３２ｅ    右側伸縮性面材
１００      就寝者
２００      枕
Ｓ      就寝用頭部カバーの内部空間
Ｗ１    カバー本体の横幅
Ｈ１    カバー本体の高さ
Ｌ１    カバー本体の前後長
Ｌ２    幕部の前後長
α      頭部挿入口
β      ワイヤーリングの連結部分
β１    下側ワイヤーリングと奥側ワイヤーリングとの連結部分
β２    下側ワイヤーリングと手前側ワイヤーリングとの連結部分
β３    上側ワイヤーリングと奥側ワイヤーリングとの連結部分
β４    上側ワイヤーリングと手前側ワイヤーリングとの連結部分
【図１】
2018117950.tif 000003
【図２】
2018117950.tif 000004
【図３】
2018117950.tif 000005
【図４】
2018117950.tif 000006